(57)【要約】【課題】マグネトロンをなすフィルタボックスの高さを減らすことでマグネトロンの全長を減らす電子レンジ用マグネトロンを提供する。【解決手段】陰極部に外部電源を連結する連結部とヨークの底面との間を幾何学的に遮断して、電気的に延長された絶縁距離を形成させる第２絶縁体を含むか、又は前記フィルタボックスの底面に絶縁板を付着させる。【選択図】　　　　図３
2004119366.tif 000002
【特許請求の範囲】
【請求項１】
空洞共振器をなす陽極部と、
熱電子を放出する陰極部と、
前記陽極部を収容して支持するヨークと、
前記ヨークの底面を通して外部に延長され、外部電源が供給されるリードと、
前記リードと前記外部電源を連結する連結部と、
前記連結部を内部に収容するフィルタボックスと、
前記陰極部を支持し、前記連結部と前記ヨークの底面との間に位置し、前記連結部と前記ヨークの底面との間に絶縁距離を維持するため所定の高さを有する第１絶縁体と、
前記連結部と前記ヨークの底面間の距離より長い誘電体破壊防止用絶縁距離を形成するため、前記連結部と前記ヨークの底面との間に介在される第２絶縁体とを含んでなることを特徴とする電子レンジ用マグネトロン。
【請求項２】
前記第１絶縁体はセラミック材から製造されることを特徴とする請求項１に記載の電子レンジ用マグネトロン。
【請求項３】
前記第２絶縁体はセラミック材から製造されることを特徴とする請求項１に記載の電子レンジ用マグネトロン。
【請求項４】
前記第１絶縁体の下部には少なくとも一つの環状溝が下方に開放するように設けられ、
前記第２絶縁体には、前記連結部と前記ヨークの底面間の絶縁長さを延長させるため、前記第１絶縁体の少なくとも一つの環状溝に挿合される少なくとも一つの環状突部が設けられることを特徴とする請求項３に記載の電子レンジ用マグネトロン。
【請求項５】
前記延長された絶縁距離は１６ｍｍ以上であることを特徴とする請求項４に記載の電子レンジ用マグネトロン。
【請求項６】
前記第２絶縁体は、前記連結部と電気的に反応できる前記ヨークの底面から前記連結部を遮断する遮断部をさらに含むことを特徴とする請求項４に記載の電子レンジ用マグネトロン。
【請求項７】
前記遮断部は、前記少なくとも一つの環状突部と一体に形成された円板部と、前記円板部から前記少なくとも一つの環状突部の方向に延長され前記ヨークに固定される固定部とからなることを特徴とする請求項６に記載の電子レンジ用マグネトロン。
【請求項８】
前記マグネトロンは、前記連結部と前記フィルタボックスの底面間の距離を減らすため、前記フィルタボックスの底面に付着された絶縁板をさらに含むことを特徴とする請求項１に記載の電子レンジ用マグネトロン。
【請求項９】
前記絶縁板は高耐熱性を有する材料から製造されることを特徴とする請求項８に記載の電子レンジ用マグネトロン。
【請求項１０】
前記絶縁板は高誘電強度を有する材料から製造されることを特徴とする請求項８に記載の電子レンジ用マグネトロン。
【請求項１１】
前記絶縁板はモールド成形されることを特徴とする請求項８に記載の電子レンジ用マグネトロン。
【請求項１２】
空洞共振器をなす陽極部と、
熱電子を放出する陰極部と、
前記陽極部を収容して支持し、磁束量を決定するヨークと、
前記ヨークの底面を通して外部に延長され、外部電源が供給されるリードと、
前記リードと前記外部電源を連結する連結部と、
前記連結部を内部に収容するフィルタボックスと、
善意連結部と前記フィルタボックスの底面間の距離を減らすため、前記フィルタボックスの底面に付着されたモールド成形絶縁板とを含んでなることを特徴とする電子レンジ用マグネトロン。
【請求項１３】
前記絶縁板は高耐熱性を有する材料から製造されることを特徴とする請求項１２に記載の電子レンジ用マグネトロン。
【請求項１４】
前記絶縁板は高誘電強度を有する材料から製造されることを特徴とする請求項１２に記載の電子レンジ用マグネトロン。
【請求項１５】
空洞共振器をなす陽極部と、熱電子を放出する陰極部と、前記陽極部を収容して支持するヨークとを含む電子レンジ用マグネトロンにおいて、
電源から電力が供給されるように前記ヨークの底面を通して延長される第１及び第２リードと、
前記第１及び第２リードを前記電源に連結する連結部と、
前記連結部を内部に収容するボックスと、
前記陰極部を支持し、前記連結部と前記ヨークの底面との間に位置する第１絶縁体と、
前記第１絶縁体との間に誘電体破壊防止用絶縁距離が設けられるように前記連結部と前記ヨークの底面との間に介在される第２絶縁体とを含んでなり、
前記第１及び第２絶縁体は誘電体破壊防止用絶縁距離が前記連結部と前記ヨークの底面間の距離より大きいように形成されることを特徴とする電子レンジ用マグネトロン。
【請求項１６】
前記第１及び第２絶縁体の一方又は両方はセラミック材から製造されることを特徴とする請求項１５に記載の電子レンジ用マグネトロン。
【請求項１７】
前記第１絶縁体には一つの環状溝が設けられ、
前記第２絶縁体には、前記一つの環状溝の高さ及び幅に応じて絶縁距離を延長させるため、前記第１絶縁体の一つの環状溝に対応する一つの環状突部が設けられることを特徴とする請求項１５に記載の電子レンジ用マグネトロン。
【請求項１８】
前記第１絶縁体には少なくとも一つのほかの環状溝が設けられ、
前記第２絶縁体には、前記少なくとも一つのほかの環状溝の高さ及び幅に応じて絶縁距離をさらに延長させるため、前記少なくとも一つのほかの環状溝に対応する少なくとも一つのほかの環状突部が設けられることを特徴とする請求項１７に記載の電子レンジ用マグネトロン。
【請求項１９】
前記延長された絶縁距離は１６ｍｍ以上であることを特徴とする請求項１６に記載の電子レンジ用マグネトロン。
【請求項２０】
前記第２絶縁体は、前記連結部と電気的に反応できる前記ヨークの底面から前記連結部を遮断する遮断部をさらに含むことを特徴とする請求項４に記載の電子レンジ用マグネトロン。
【請求項２１】
前記遮断部は、前記一つの環状突部を有する円板部と、前記円板部から前記一つの環状突部の方向に延長され前記ヨークに固定される固定部とからなることを特徴とする請求項１７に記載の電子レンジ用マグネトロン。
【請求項２２】
前記マグネトロンは、前記連結部と前記フィルタボックスの底面間の距離を減らすため、前記フィルタボックスの底面に付着されて前記底面を覆う絶縁板をさらに含むことを特徴とする請求項１に記載の電子レンジ用マグネトロン。
【請求項２３】
空洞共振器をなす陽極部と、熱電子を放出する陰極部と、前記陽極部を収容して支持し磁束量を決定するヨークとを含む電子レンジ用マグネトロンにおいて、
電源から電力が供給されるように前記ヨークの底面を通して延長される第１及び第２リードと、
前記第１及び第２リードを前記電源に連結する連結部と、
前記連結部を内部に収容するボックスと、
前記連結部と前記ボックスの底面間の距離を減らすため、前記ボックスの底面に付着されて前記底面を覆う絶縁体とを含んでなることを特徴とする電子レンジ用マグネトロン。
【請求項２４】
前記絶縁体は高耐熱性を有する材料から製造されることを特徴とする請求項２３に記載の電子レンジ用マグネトロン。
【請求項２５】
前記絶縁板は高誘電強度を有する材料から製造されることを特徴とする請求項２３に記載の電子レンジ用マグネトロン。
【請求項２６】
ケーシングを有する電子レンジ用マグネトロンにおいて、
第１及び第２リードと、
前記第１及び第２リード間に介在され、前記ケーシングの底面から前記第１及び第２リードを絶縁し、相互対応する環状溝と環状突部を有する第１及び第２絶縁体とを含んでなり、
前記第１及び第２リードは前記ケーシングを通して延長され前記ケーシングから絶縁され、前記第１及び第２リードには前記第１及び第２リードに第１電圧レベルが供給されるように高電圧の電源が供給され、前記ケーシングは前記第１リードに対して第２電圧レベルで維持され、前記ケーシングと前記第１及び第２リードの一つ間の最小距離が誘電体破壊を起こすとき、前記ケーシングから前記第１及び第２リードを絶縁させるため、誘電体破壊防止用絶縁距離は前記ケーシングと前記第１及び第２リードの一つ間の最小距離より大きいことを特徴とする電子レンジ用マグネトロン。
【請求項２７】
ケーシングを有する電子レンジ用マグネトロンにおいて、
第１及び第２リードと、
前記第１及び第２リード間に介在され、前記ケーシングの底面から前記第１及び第２リードを絶縁し、相互対応する環状溝と環状突部を有する第１及び第２絶縁体と
高電圧を供給するため前記第１及び第２リードに連結される連結部と、
前記連結部を覆うボックスとを含んでなり、
前記第１及び第２リードは前記ケーシングを通して延長され前記ケーシングから絶縁され、前記第１及び第２リードには前記第１及び第２リードに第１電圧レベルが提供されるように高電圧が供給され、
前記ケーシングは前記第１リードに対して第２電圧レベルで維持され、
前記第１及び／又は第２絶縁体の高さを減らすことにより前記ボックスの高さを減らすため、前記ケーシングと前記連結部間の誘電体破壊防止用絶縁距離は前記ケーシングと前記連結部間の最小距離より大きいことを特徴とする電子レンジ用マグネトロン。
【請求項２８】
空洞共振器をなす陽極部と、熱電子を放出する陰極部と、前記陽極部を収容して支持し磁束量を決定するヨークとを含む電子レンジ用マグネトロンにおいて、
電源から電力が供給されるように前記ヨークの底面を通して延長される第１及び第２リードと、
前記第１及び第２リードを前記電源に連結する連結部と、
前記連結部を内部に収容するボックスと、
前記陰極部を支持し、前記連結部と前記ヨークの底面との間に位置する第１絶縁体と、
前記第１及び第２絶縁体の対応形状を変化させることにより誘電体破壊防止用絶縁距離が変化できるように前記連結部と前記ヨークの底面間に介在される第２絶縁体とを含んでなることを特徴とする電子レンジ用マグネトロン。
【請求項２９】
空洞共振器をなす陽極部と、熱電子を放出する陰極部と、前記陽極部を収容して支持し磁束量を決定するヨークとを含む電子レンジ用マグネトロンにおいて、
電源から電力が供給されるように前記ヨークの底面を通して延長される第１及び第２リードと、
前記第１及び第２リードを前記電源に連結する連結部と、
前記連結部を内部に収容するボックスと、
前記連結部と前記ヨークの底面間に誘電体破壊を起こすことなく高さが減少できるように前記第１及び第２絶縁体に相互対応する環状溝と環状突部を設けることにより前記連結部と前記ヨークの底面間の誘電体破壊防止用絶縁距離を延長させる結合構造部とを含んでなることを特徴とする電子レンジ用マグネトロン。
【発明の詳細な説明】
【０００１】
【発明の属する技術分野】
本発明は電子レンジ用マグネトロンに係り、より詳しくはマグネトロンの下部に高さの減少したフィルタボックスが設けられた電子レンジ用マグネトロンに関するものである。
【０００２】
【従来の技術】
一般に、マグネトロンは磁電管ともいうもので、主に高周波加熱、粒子加速器、レーダーなどの産業用を始めとして、電子レンジのような家庭用にも用いられて高周波を発生させる部品として広く使用される。
【０００３】
前記のようなマグネトロンの一般の構成を図１に基づいて略述する。
【０００４】
図１に示すように、マグネトロン１００は、円筒状の陽極体１０１の内部に、前記陽極体１０１とともに陽極部を構成する複数のベーン１０２が空洞共振器を形成するために軸心方向に等間隔で配設される。前記ベーン１０２のうち、一つのベーン１０２にはマグネトロン１００の外部に高周波を誘導するアンテナ１０３が接続されている。また、前記陽極体１０１の軸心にはコイルスプリング形態のフィラメント１０６が設けられ、このフィラメント１０６と前記ベーン１０２の先端との間には作用空間１０７が形成される。前記フィラメント１０６の上下端には上部シールド１０８と下部シールド１０９がそれぞれ固着されている。中央支持体であるセンターリード１１０は下部シールド１０９の中央部に形成された貫通孔及び前記フィラメント１０６を貫通して前記上部シールド１０８の下端部に溶接で固着されており、前記下部シールド１０９の底面にはサイドリード１１１が溶接で固着されている。一方、これらセンターリード１１０及びサイドリード１１１は外部電源に連結された第１及び第２端子１０４ａ、１０４ｂに電気的に連結されているので、前記マグネトロンに、第１端子→センターリード→上部シールド→フィラメント→下部シールド→サイドリード→第２端子からなる一定の電気閉回路が形成される。このような電気閉回路を構成するもの以外の部品は電気的に接地されている。また、前記端子１０４ａ、１０４ｂにはチョークコイル１０５ａ、１０５ｂの一端が電気的に接続され、前記チョークコイル１０５ａ、１０５ｂの他端は、前記リード１１０、１１１の一端、端子１０４ａ、１０４ｂ及びチョークコイル１０５ａ、１０５ｂを収容するフィルタボックス１１３の側壁部に配設されたキャパシタ（図示せず）に接続されている。前記フィルタボックス１１３は、前記リード１１０、１１１により逆流して放射されるノイズ成分を消去するため、金属材質からなり、接地されている。一方、前記作用空間１０７に磁束を印加させるため、反対極が対向するように、前記陽極部の上下側に上部永久磁石１１２ａと下部永久磁石１１２ｂが配設され、前記陽極部及び永久磁石１１２ａ、１１２ｂはヨーク１１７に収容されて支持される。他方、前記永久磁石１１２ａ、１１２ｂにより発生する回転磁束を前記作用空間１０７に誘導するための上部磁極片１１４ａ及び下部磁極片１１４ｂが設けられ、前記上部磁極片１１４ａの上部と下部磁極片１１４ｂの下部にはそれぞれ上部シールドカップ１１５ａと下部シールドカップ１１５ｂが密着して溶接で固着されている。
【０００５】
前記下部シールドカップ１１５ｂの下部には、前記陽極体１０１の内部を真空状態に密封するとともに、電気的に一番近くに位置する前記ヨーク１１７の底面側と端子１０４ａ、１０４ｂ又はチョークコイル１０５ａ、１０５ｂとの間の高い電圧差による誘電体破壊現象を防止するため、絶縁セラミック１１６が密着して溶接で固着される。前記センターリード１１０及びサイドリード１１１は前記絶縁セラミック１１６に形成された貫通孔を通して前記ヨーク１１７の底面を通過するように延長され前記端子１０４ａ、１０４ｂに接続されている。
【０００６】
図２に示すように、前記のような構成を有するマグネトロン１００を電子レンジに採用する場合、このマグネトロン１００は電子レンジ２００の電装室２０２に位置し、導波管２０３を介して電子レンジ２００の調理室２０１に高周波を放射する。前記マグネトロン１００の下側には、高圧トランス２０４、高圧コンデンサ（図示せず）、ファンモータ（図示せず）などの部品が位置する。前記絶縁セラミック１１６は、前記接地された下部シールドカップ１１５ｂを含むヨーク１１７の底面側と端子１０４ａ、１０４ｂ又はチョークコイル１０５ａ、１０５ｂとの間に安定した絶縁距離を維持して使用者に無害にし、マグネトロン１００の効率を高めるため、つまり誘電体破壊現象を防止するため、１６ｍｍ以上の高さを維持しなければならなく、前記リード１１０、１１１と外部電源を連結する連結部として構成される端子１０４ａ、１０４ｂ及びチョークコイル１０５ａ、１０５ｂとこれらを収容するフィルタボックス１１３の底面との間にも絶縁距離を維持するため、１５．５ｍｍ以上の間隔を維持しなければならないので、前記チョークコイル１０５ａ、１０５ｂの半径（およそ１０ｍｍ）まで考慮すると、前記フィルタボックス１１３の全高はおよそ４３ｍｍ以上となる。一方、前記上部及び下部永久磁石１１２ａ、１１２ｂに磁気的に接続され、磁力を有するフィルタボックス１１３と前記電装室２０２の外側壁との間には、電子レンジの稼動の際、前記フィルタボックス１１３の磁力により前記外側壁が振動する現象と、これによる騒音が発生するので、このような振動現象と騒音を無くすため、前記フィルタボックス１１３の底面と前記外側壁との間に一定の距離ｄを維持させなければならない。
【０００７】
ところで、前記のような絶縁距離及び一定の距離ｄを維持させるため、前記マグネトロンの全長を増加させ、これに比例して電装室２０２の幅Ｄを広く構成しなければならないため、電子レンジ２００の調理室２０１の容積に比べて電装室２０２の容積が電子レンジ２００内で占める割合が大きくなるしかなく、この点のため、電子レンジのデザイン及び設計に相当な差し支えをきたす問題点があった。このような問題点は、調理室の容積が小さい小型電子レンジにとって一層著しくなっている。
【０００８】
【発明が解決しようとする課題】
したがって、本発明は前述した問題点を解決するためになされたもので、その目的は、マグネトロンの高さのおよそ４０％を占めるフィルタボックスの高さを減らすことにより、マグネトロンの高さを減らしてマグネトロンの小型化を実現することにある。
【０００９】
【課題を解決するための手段】
前記目的を達成するため、本発明は、空洞共振器をなす陽極部と、熱電子を放出する陰極部と、前記陽極部を収容して支持するヨークと、前記ヨークの底面を通して外部に延長され、外部電源が供給されるリードと、前記リードと前記外部電源を連結する連結部と、前記連結部を内部に収容するフィルタボックスと、前記陰極部を支持し、前記連結部と前記ヨークの底面との間に位置し、前記連結部と前記ヨークの底面との間に絶縁距離を維持するため所定の高さを有する第１絶縁体と、前記連結部と前記ヨークの底面間の距離より長い誘電体破壊防止用絶縁距離を形成するため、前記連結部と前記ヨークの底面との間に介在される第２絶縁体とを含んでなる電子レンジ用マグネトロンを提供する。
【００１０】
前記連結部と前記フィルタボックス間の絶縁距離を減らすため、前記フィルタボックスにはモールド成形された絶縁板が付着される。
【００１１】
【発明の実施の形態】
以下、本発明による好ましい実施例を図３ないし図５に基づいて詳細に説明する。
【００１２】
図３は本発明の一実施例によるマグネトロン３００の断面図、図４は図３の特徴的な構成である第１絶縁体及び第２絶縁体の斜視図、図５は図３のＡ部の構成を拡大した断面図である。
【００１３】
図３に示すように、下部シールドカップ３０３０の下部には、陽極体３０２の内部を真空状態で密封するとともに、接地された下部シールドカップ３０３を含むヨーク３１１の底面側と連結部をなす端子３０４ａ、３０４ｂ又はチョークコイル３０８ａ、３０８ｂ間の大きい電圧差（およそ４ＫＶ）による誘電体破壊現象を防止するため、高さ８ｍｍのセラミック材の第１絶縁体３０１が溶接で固着されている。このような第１絶縁体３０１の構成は図４に詳細に示されている。前記絶縁体３０１には、中心軸から左右にずれた位置にセンターリード３０５とサイドリード３０６が貫通する貫通孔４０１が形成され、前記貫通孔４０１の外側には、円周方向に所定深さの環状溝４０２が形成されている。前記環状溝４０２には、図３に示すように、第２絶縁体３０７に円周方向に環状突部５０１が挿合される。このような第２絶縁体３０７も図４に詳細に示されている。前記第２絶縁体３０７は、円盤状の円板部５０４に前記リード３０５、３０６が貫通する中央孔５０３が形成され、この中央孔５０３の外周縁から環状突部５０１が突設されている。また、前記円盤状の円板部５０４の外周縁部から、前記環状突部５０１より大きい半径を有する円筒状の固定部５０２が前記環状突部５０１の突出方向に延長される。この固定部５０２の端部は、図３に示すように、前記環状突部５０１が前記第１絶縁体３０１の環状溝４０２に挿合されるように、前記陽極体３０２を含むヨーク３１１の底面に固定される。一方、前記円盤状の円板部５０４と円筒状の固定部５０２は、図３に示すように、前記ヨーク３００の底面側と前記端子３０４ａ、３０４ｂ及びチョークコイル３０８ａ、３０８ｂとの間を絶縁、遮断する絶縁部としての役目を果たす。
【００１４】
前記のような構成を有するマグネトロン３００において、特徴的構成である第１絶縁体３０１の環状溝４０２、環状突部５０１、円板部５０４及び固定部５０２を含む絶縁部の役割を図５に基づいて詳細に説明する。
【００１５】
一般に、所定の電圧差を有する両端間に誘電体が挿入される場合、両端間の電圧差が大きいと、誘電体が破壊し、両端間の電荷の移動により電流が流れる誘電体破壊現象（ｄｉｅｌｅｃｔｒｉｃ　ｂｒｅａｋｄｏｗｎ）が発生する。誘電体がこのような誘電体破壊現象なしに耐えられる程度を誘電体強度（ｄｉｅｌｅｃｔｒｉｃ　ｓｔｒｅｎｇｔｈ）という。誘電体強度は誘電定数が大きいほど高い。空気の誘電定数は真空中でのようにおよそ１であると言え、誘電体のなかで最低の誘電定数を持っている。一般に、誘電体破壊は、電気的な絶縁距離が最も近接するとともに電圧差が最も高い地点で起こる。マグネトロンにおいては、通常ヨーク３１１の底面側と連結部（端子３０４ａ、３０４ｂ及びコイル３０８ａ、３０８ｂ）との間と、フィルタボックス３０９の側面及び／又は底面と前記連結部との間で起こる。この際、尖っている部分があると、その部分に電界が集中して誘電体破壊が起こり易い。
【００１６】
一般に、マグネトロンの接地点（ヨーク３１１の底面側、フィルタボックス３０９含み）と連結部（端子３０４ａ、３０４ｂ、チョークコイル３０８ａ、３０８ｂ含み）との間には、絶縁距離を維持させる誘電定数１の空気という誘電体が介在していると見なし得る。空気中で誘電体破壊の危険がない安定した絶縁距離としてはおよそ１６ｍｍを想定している。誘電体強度の高い誘電体Ａが前記絶縁距離をなす空間に位置すると、前記絶縁距離は直線距離でなく、誘電体Ａを避けて空気が占めている部分に迂回する距離となる。その理由は、迂回により幾何学的長さは長くなっても、誘電体強度の高い誘電体Ａ部分よりは誘電体強度の低い空気部分側に破壊が起こる物理的な自然現象のためである（このような絶縁距離及び誘電体強度は数学的に算出し得る値である）。
【００１７】
図５は図３の構成における絶縁距離を詳細に示す。
【００１８】
すなわち、図５のヨーク３１１の底面側と連結部との間の距離、より詳しくは端子３０４ａ、３０４ｂ又はチョークコイル３０８ａ、３０８ｂに最も近い接地点を持っている下部シールドカップ３０３と、前記端子３０４ａ、３０４ｂ又はチョークコイル３０８ａ、３０８ｂとの絶縁距離は、前記第１絶縁体３０１に形成された環状溝４０２と前記第２絶縁体３０７に形成された環状突部５０１との挿合構造により迂回することになる。このような迂回絶縁距離“Ｉ”は両方向矢印で示す。前記絶縁距離“Ｉ”は誘電体（空気）の電気的破壊の危険がない１６ｍｍの安定した絶縁長を維持させることが好ましいので、前記環状溝４０２の深さ又は前記環状溝４０２に対応する環状突部５０１の突出程度を、絶縁距離が１６ｍｍ以上維持されるように決めなければならない。もちろん、本実施例においては、一つの環状溝４０２とこれに対応する一つの環状突部５０１を設けたが、第１絶縁体３０１の高さを一層減らすためには、多数の環状溝とこれに対応する多数の環状突部をそれぞれ第１絶縁体３０１及び第２絶縁体３０７に設けることもできる。
【００１９】
本実施例のほかの特徴として、図３に示すように、フィルタボックス３０９の底面と端子３０４ａ、３０４ｂ又はチョークコイル３０８ａ、３０８ｂとの間の絶縁距離である相互間の離隔距離を減らすため、誘電体強度の高いモールド成形の絶縁板３０１が前記フィルタボックス３０９の底面に付着されている。ところが、前記端子３０４ａ、３０４ｂ及びチョークコイル３０８ａ、３０８ｂはおよそ２００〜３００℃の高温を維持するので、このような高温に耐えるため、前記絶縁板３１０は耐熱性の強い材質で製造されることが好ましい。
【００２０】
このような本実施例による構成を有するマグネトロン３００のフィルタボックス３０９は全高がおよそ２３ｍｍまで減少することになる。
【００２１】
【発明の効果】
以上詳細に説明したように、本発明は、マグネトロンの全高のおよそ４０％を占めているフィルタボックスの高さを大幅に減らすことによりマグネトロンの小型化を実現させることができ、そしてこのように小型化されたマグネトロンが装着される装置、特に大衆的に使用される電子レンジのデザインを多様にすることができる。
【００２２】
以上説明したもの以外にも、前記第１絶縁体には環状突部を、前記第２絶縁体には環状溝を形成するなどのように、本発明が属する技術分野の通常の知識を有する者が本発明の説明から前記と同一範疇内のほかの変形例を実施することができる。
【図面の簡単な説明】
【図１】従来のマグネトロンを示す側断面図である。
【図２】従来の電子レンジを示す概略正断面図である。
【図３】本発明の実施例によるマグネトロンを示す側断面図である。
【図４】図３の要部である第１絶縁体及び第２絶縁体を示す斜視図である。
【図５】図３の要部を拡大して示す側断面図である。
【符号の説明】
３０１　絶縁セラミック
３０２　陽極体
３０３　下部シールドカップ
３０４ａ、３０４ｂ　端子
３０５　センターリード
３０６　サイドリード
３０７　補助絶縁体
３０８ａ、３０８ｂ　チョークコイル
３０９　フィルタボックス
３１０　絶縁板
４０１　フィルタボックス
４０２　環状溝
５０１　環状突部
５０２　延長部
５０３　中央孔
５０４　円板部
【図１】
2004119366.tif 000003
【図２】
2004119366.tif 000004
【図３】
2004119366.tif 000005
【図４】
2004119366.tif 000006
【図５】
2004119366.tif 000007